(57)【要約】【課題】  ＰＯＳ端末や、商品売上登録装置内のロール紙を外部から簡単に取り出せないようにした、ロック機構を有するプリンタを提供する。【解決手段】  プリンタ１の内部にロック機構６０を内蔵させて、ホストコンピュータ１０１からの指示によって、外部からロック機構６０のロックの解除を行う。また、ホストコンピュータ１０１からの指示によってフィード制御部８０を操作して、フィードの有効・無効の切り替えと、紙送りを行う。【選択図】      図２
2005349640.tif 000002
【特許請求の範囲】
【請求項１】
ロール紙を収納する収納部を備えたケース本体と、前記ロール紙の上側を覆うロール紙カバーと、前記ロール紙カバーが、前記ケース本体に開閉自在に取り付けられ、前記ロール紙カバーが閉じた状態にロックするロック機構とを備えたプリンタであって、
前記ロール紙カバーと前記ケース本体とのロックを、ホストコンピュータからの指示によって解除する電気式ロック解除機構を設け、
前記電気式ロック解除機構が、前記ケース本体内に取り付けられていることを特徴とするプリンタ。
【請求項２】
請求項１に記載のプリンタにおいて、
前記ケース本体に、フィード操作部を備え、
前記フィード操作部の有効・無効の切り替えを、前記ホストコンピュータからの指示によって切り替え動作を行わせるフィード制御部を備えていることを特徴とするプリンタ。
【請求項３】
請求項１又は請求項２に記載のプリンタにおいて、
前記ケース本体に、前記ロール紙を紙送りするための紙送り機構を備え、
前記紙送り機構に、前記ホストコンピュータからの指示によって紙送り動作を行わせるフィード制御部を備えていることを特徴とするプリンタ。
【請求項４】
ロール紙を収納する収納部を備えたケース本体と、前記ロール紙の上側を覆うロール紙カバーとを備えたプリンタであって、
前記プリンタに前記ロール紙を覆う蓋部と、閉止状態の前記蓋部を開放させる蓋操作部と、
前記ロール紙を排出する排出部と、
前記排出部を起動させるフィード操作部と、
前記ロール紙カバーの少なくとも一部を覆うとともに、前記蓋操作部と、前記フィード操作部とを覆うように設けられたカバーと、
前記カバーが閉じた状態にロックするロック機構とを備え、
前記ケース本体と前記カバーとのロックを、前記ホストコンピュータからの指示によってロックを解除する電気式ロック解除機構が設けられていることを特徴とするプリンタ。
【請求項５】
請求項４に記載のプリンタにおいて、オープンボタンを備え、前記オープンボタンを覆うように前記カバーが設けられていることを特徴とするプリンタ。
【請求項６】
請求項４又は請求項５に記載のプリンタにおいて、フィードボタンを備え、前記フィードボタンを覆うように前記カバーが設けられていることを特徴とするプリンタ。
【請求項７】
請求項１又は請求項４に記載のプリンタにおいて、
前記プリンタは第１の電気信号を受信してドロアを開放する第２の電気信号を発信する発信部を備え、前記ロック機構は前記第２の電気信号によってロックが解除されることを特徴とするプリンタ。
【発明の詳細な説明】
【技術分野】
【０００１】
本発明は、例えばＰＯＳ（Ｐｏｉｎｔ−Ｏｆ−Ｓａｌｅｓ）端末や、電子キャッシュレジスタ等に用いられるレシート・チケット・金券等を発行するプリンタのロック機構に関するものである。
【背景技術】
【０００２】
従来、この種のプリンタとしては、ロール紙に対してサーマルヘッド等によって印刷を行った後に、そのロール紙を切断して、レシート・チケット・金券等として顧客に手渡す方法が知られている。
【０００３】
また、このロール紙に所定の事項、例えば印字やバーコードなどを印刷することによって、金券や有価証券が作成される。第３者が、このプリンタ内に装填されている印刷前のロール紙を不正に入手して、別のプリンタで印刷することによって、これら金券や有価証券が不正に偽造されてしまうという恐れがあった。そして、これら偽造されたチケットが市場で不正に使用されてしまうという恐れがあった。
【０００４】
例えば、特許文献１に開示されているように、このような不正な行為を防止するために、ＰＯＳ端末や、電子キャッシュレジスタ等の商品売上登録装置におけるレシート・ジャーナル用紙の上側を覆うように、カバー装置が装着されていて、このカバー装置を鍵などでロックするロック機構が提案されていた（特許文献１参照）。
【０００５】
【特許文献１】特開平５−３２５０１８号公報
【発明の開示】
【発明が解決しようとする課題】
【０００６】
ところが、このロック機構は、鍵等を用いた機械的なロック方法であったので、ＰＯＳ端末や、商品売上登録装置等においては、１台に、１個のカバー装置と１個の鍵とが必要であった。また、外側から見れば、鍵によって施錠されていることが、第３者には容易にわかる。つまり、第３者によって、鍵が不正に複製された場合、カバー装置のロック機構を簡単に解除することができる。従って、ＰＯＳ端末や、商品売上登録装置等の中からロール紙を不正に取り出して、金券や有価証券を簡単に偽造してしまうことができる。そこで、このような不正な行為を防止できる、より安全なロック機構の実現が求められていた。
【０００７】
本発明の目的は、ＰＯＳ端末や、商品売上登録装置内のロール紙を外部から簡単に取り出せないようにした、ロック機構を有するプリンタを提供することである。
【課題を解決するための手段】
【０００８】
本発明のプリンタは、ロール紙を収納する収納部を備えたケース本体と、前記ロール紙の上側を覆うロール紙カバーと、前記ロール紙カバーが、前記ケース本体に開閉自在に取り付けられ、前記ロール紙カバーが閉じた状態にロックするロック機構とを備えたプリンタであって、前記ロール紙カバーと前記ケース本体とのロックを、ホストコンピュータからの指示によって解除する電気式ロック解除機構を設け、前記電気式ロック解除機構が、前記ケース本体内に取り付けられていることを特徴とする。
【０００９】
この発明によれば、ホストコンピュータの指示によって、ロール紙カバーのロックを解除することができるので、遠隔操作ができる。しかも、プリンタの設置場所を自由に設定できるとともに、瞬時にロック解除ができる。反面、ロック解除機構がプリンタ内部に設けられているので、プリンタの外側から視認できず、しかも不正な方法ではロール紙を簡単に盗まれることがない。
【００１０】
本発明のプリンタは、前記ケース本体に、フィード操作部を備え、前記フィード操作部の有効・無効の切り替えを、前記ホストコンピュータからの指示によって切り替え動作を行わせるフィード制御部を備えていることが望ましい。
【００１１】
この発明によれば、フィード制御部が、ロール紙の紙送り動作の切り替えを制御するので、プリンタからロール紙を出せないようにすることができる。つまり、ロール紙を簡単に盗まれることがない。
【００１２】
本発明のプリンタは、前記ケース本体に、前記ロール紙を紙送りするための紙送り機構を備え、前記紙送り機構に、前記ホストコンピュータからの指示によって紙送り動作を行わせるフィード制御部を備えていることが望ましい。
【００１３】
この発明によれば、フィードボタンのないプリンタでも、フィード制御部がロール紙の紙送りを行うことができる。
【００１４】
本発明のプリンタは、ロール紙を収納する収納部を備えたケース本体と、前記ロール紙の上側を覆うロール紙カバーとを備えたプリンタであって、前記プリンタに前記ロール紙を覆う蓋部と、閉止状態の前記蓋部を開放させる蓋操作部と、前記ロール紙を排出する排出部と、前記排出部を起動させるフィード操作部と、前記ロール紙カバーの少なくとも一部を覆うとともに、前記蓋操作部と、前記フィード操作部とを覆うように設けられたカバーと、前記カバーが閉じた状態にロックするロック機構とを備え、前記ケース本体と前記カバーとのロックを、前記ホストコンピュータからの指示によってロックを解除する電気式ロック解除機構が設けられていることを特徴とするプリンタである。
【００１５】
この発明によれば、蓋操作部と、フィード操作部とを覆うようにカバーを形成したことによって、外部から操作することができない。よって、不正な方法ではロール紙を簡単に盗まれることがない。
【００１６】
本発明のプリンタは、オープンボタンを備え、前記オープンボタンを覆うように前記カバーが設けられていることが望ましい。
【００１７】
この発明によれば、カバーがあることによって、オープンボタンの操作ができないので、プリンタカバーを開くことができない。よって、外部から不正な方法でロール紙を盗まれることがない。
【００１８】
本発明のプリンタは、フィードボタンを備え、前記フィードボタンを覆うように前記カバーが設けられていることが望ましい。
【００１９】
この発明によれば、カバーがあることによって、フィードボタンの操作ができないので、紙送りができない。よって、外部から紙送りしてロール紙を盗まれることがない。
【００２０】
本発明のプリンタは、第１の電気信号を受信してドロアを開放する第２の電気信号を発信する発信部を備え、前記ロック機構は前記第２の電気信号によってロックが解除されることが望ましい。
【００２１】
この発明によれば、プリンタを介してロック機構の受信部へ、第２の電気信号が送信されるので、第３者が外部から信号をプリンタに送信できない。つまり、第３者が外部からロック機構を解除できないので、ロール紙を盗まれることがない。
【発明を実施するための最良の形態】
【００２２】
以下、本発明を具体化した一実施形態のプリンタのロック機構、及びプリンタについて、添付図面に沿って詳細に説明する。
（実施形態）
【００２３】
図１は本実施形態に用いられるプリンタを示し、（ａ）は概略斜視図、（ｂ）は概略断面図である。
【００２４】
図１（ａ）に示すように、プリンタ１は、ＰＯＳシステム等に用いられるレシート用紙を発行するプリンタ等に適用されるものであって、ロール紙１６に対して印刷ヘッド２４により印刷を行うものである。
【００２５】
プリンタ１はロール紙１６が排出される排出口１２と、この排出口１２を除いて内蔵されたロール紙１６を覆う蓋部としてのプリンタカバー１１と、このプリンタカバー１１を開けるオープンボタン１３と、ロール紙１６を排出する紙送り部としてのプラテン２５と、このプラテン２５を駆動させるモータ（図示せず）と、このプラテン２５を操作してロール紙１６を排出するフィードボタン１４と、プリンタ１の状態を表示する表示ランプ１５と、後述するロック機構６０とを備えている。なお、プリンタ１の背面側に背面部１ａを備えている。
【００２６】
ここで、このプリンタ１は、ロール紙１６を収納可能なケース本体４と、このケース本体４に取り付けられたパネル２と、このケース本体４に開閉可能に取り付けられたプリンタカバー１１と、ケース本体４に収納されているプリント機構２０とで構成されている。
【００２７】
図１（ｂ）に示すように、プリント機構２０は、ロール紙１６を下側から支持するロール紙支持フレーム２２と、ロール紙１６を上側から覆うロール紙カバー２１とを有している。
【００２８】
また、本体フレーム２３に備えられたバネ３０が、サーマル方式の印刷ヘッド２４をプラテン２５側に付勢していて、この印刷ヘッド２４がロール紙１６に対して印刷可能に構成されている。
【００２９】
ここで、ロール紙１６をプラテン２５で印刷ヘッド２４に押しつけて印刷すると同時に、プラテン２５はロール紙１６を排出方向Ｄに送り、所定の印刷が終了すると、オートカッタユニット２６のモータ２７で駆動される可動刃２８と、プリンタカバー１１側に備えられた固定刃２９とによってロール紙１６が挟まれて切断されるように配置されている。
【００３０】
図２は、本実施形態のロック機構を示す斜視図である。
【００３１】
図２に示すように、ロック機構６０は、電磁ロック部７０が配置されたフレームカバーロック６１と、このフレームカバーロック６１に係合するレバーカバーロック６９とから構成されている。
【００３２】
フレームカバーロック６１に電磁ロック部７０が配置されていて、この電磁ロック部７０は、電磁開閉器であるソレノイド７１を用いている。このソレノイド７１はネジ７１ｂ（図３（ａ）参照）でフレームカバーロック６１に固定されている。このソレノイド７１に備えられたプランジャ７４と、ロック解除レバー７２とがスプリングピン７１ａによって係合されて、このロック解除レバー７２はフレームカバーロック６１から突き出た軸７３に係合している。
【００３３】
このプランジャ７４が矢印方向に吸引されることによって、軸７３を回転中心にして、ロック解除レバー７２がＡ方向に回転できるように構成されている。
【００３４】
ここで、このロック解除レバー７２が、カム６４に噛み合うことによって、ロックされるように構成されている。
【００３５】
また、カム穴６４ｂには、軸６７ａが挿入されてカム６４が軸支されて、カム穴６４ｂと軸６７ａとの係合部分における断面はＤ形状に形成されて、カム６４を廻り止めできるように構成されている。
【００３６】
また、軸６７ａにＥリング６８（この場合２箇所）が嵌めこまれて、カム６４が軸方向に抜けてこないように、しかも、カム６４とロック解除レバー７２との噛み合い位置がずれないように構成されている。また、軸６７ａは、軸受け６２ａと軸受け６２ｃとに支持されて、軸６７ａが回転自在に軸支されている。
【００３７】
ここで、軸６７ａはレバーカバーロック６９の穴６９ａに挿入されて、穴６９ａと軸６７ａとの係合部分における断面はＤ形状に形成されて、レバーカバーロック６９を廻り止めできるように構成されている。
【００３８】
一方、レバーカバーロック６９の穴６９ｂに軸６７ｂが挿入されて、軸６７ｂは軸受け６２ｂに取り付けられているので、軸６７ｂが回転自在に軸支される。また、この軸６７ｂにＥリング６８を嵌めこんで軸方向に外れないように構成されている。
【００３９】
一方、ロック解除レバー７２の突起部７２ｂにはバネ６５が取り付けられて、このバネ６５のフック部６５ａが、フレームカバーロック６１に設けられた軸解除バネ掛け６６に取り付けられている。このバネ６５がロック解除レバー７２をプランジャ７４の押し出し方向側に付勢するように構成されている。
【００４０】
ここで、ソレノイド７１が動作して、プランジャ７４を矢印方向に吸引したときに、軸７３を回転中心としてロック解除レバー７２がＡ方向に回転する。このロック解除レバー７２がカム６４と外れてロックが解除されるように構成されている。これとは反対に、プランジャ７４が開放されると、バネ６５によってロック解除レバー７２がＡ方向とは反対に回転して、ロック解除レバー７２がカム６４と噛み合って、ロックされるように構成されている。
【００４１】
図３は、本実施形態のロック機構を示し、（ａ）は分解斜視図、（ｂ）は側面図である。
【００４２】
図３（ａ）の分解斜視図を用いて、このようなロック機構６０の組み立て順序を説明する。
【００４３】
まず、フレームカバーロック６１にソレノイド７１をネジ７１ｂで固定する。
【００４４】
次に、軸７３にロック解除レバー７２の穴７２ｃをセットして、軸７３にＥリング６８を嵌めこむ。
【００４５】
次に、プランジャ７４をロック解除レバー７２にセットして、スプリングピン７１ａを穴７２ｄから挿入して、プランジャ７４とロック解除レバー７２とを係合する。
【００４６】
次に、バネ６５を突起部７２ｂと軸解除バネ掛け６６とにセットする。
【００４７】
次に、レバーカバーロック６９の穴６９ａと軸受け６２ａとの位置を合わせ、さらに、穴６９ｂと軸受け６２ｂとの位置を合わせる。軸６７ａを穴６９ａと穴６２ａとに挿入してＥリング６８を軸６７ａに嵌めこむ。
【００４８】
次に、カム６４を軸６７ａに挿入して、カム６４の両端面近傍の軸６７ａにＥリング６８を嵌めこむ。
【００４９】
次に、軸受け６２ｃの穴６３ｃに軸６７ａを挿入して、Ｅリング６８を嵌めこむ。
【００５０】
次に、軸６７ｂを６９ｂと６２ｂとに挿入して、Ｅリング６８を軸６７ｂに嵌めこむ。以上の順序で組み立てることにより、ロック機構６０ができあがる。このロック機構６０を、フレームカバーロック６１の裏側からネジ６１ａでプリンタ１に組みつければ、組み立てが完了する。
【００５１】
次に、図３（ｂ）に示すように、プリンタ１の背面部１ａからレバーカバーロック６９を回転させて、レバーカバーロック６９をロック部６０ａにセットする。
【００５２】
このとき、レバーカバーロック６９は、オープンボタン１３とフィードボタン１４とがレバーカバーロック６９で覆われるように、ロック部６０ａへセットされる。ロック部６０ａの高さＨ２は、背面部１ａの高さＨ１より低いので、この状態でプリンタ１にロックがかかると、レバーカバーロック６９をプリンタ１の背面側にスライドできなくなり、プリンタ１から外すことができない。
【００５３】
つまり、この状態では、第３者は、オープンボタン１３と、フィードボタン１４の操作ができない。しかも、図４に示すように、ロック機構６０がプリンタ１に組み付けられると、後述するコネクタ１０４などのＩ／Ｆ部が、外部から見えなくなるので、コネクタ１０４にいたずらをしたり、信号を不正に送信することができない。
【００５４】
なお、レバーカバーロック６９をプリンタ１の背面部１ａから挿入するときに、ホストコンピュータ１０１からの指示によって、電磁ロック部７０のソレノイド７１を動作させて、ロック機構６０のロックを解除して、カム６４と、ロック解除レバー７２とが噛み合っていない状態で挿入を行えば、レバーカバーロック６９の挿入作業がし易くなるように構成されている。
【００５５】
一方、レバーカバーロック６９をプリンタ１の背面部１ａから挿入した後に、ホストコンピュータ１０１からの指示によって、電磁ロック部７０のソレノイド７１を動作させて、ロック機構６０をロックする。このとき、カム６４とロック解除レバー７２とが噛み合わされて、レバーカバーロック６９がロック部６０ａ部に係合される。この構成により、レバーカバーロック６９がプリンタ１から外れなくなる。
【００５６】
図４は、本実施形態のロック機構をプリンタ１に装着する状態を示す斜視図である。
【００５７】
図４に示すように、ロック機構６０が配置されたフレームカバーロック６１が、矢印方向に移動してケース本体４に取り付けられることにより、ロック機構６０を有するプリンタ３００ができあがるように構成されている（図５（ａ）（ｂ）参照）。
【００５８】
ここで、プリンタ１の内部には信号ケーブル１０３が接続できるようにコネクタ１０４が備えられている。
【００５９】
このコネクタ１０４は、受信する信号によって選択され、ホストコンピュータ１０１と接続されて信号の送受信をするコネクタ１０４ａ、ドロア１０２及び電磁ロック部７０と接続されて信号の送受信をするコネクタ１０４ｂ、外部電源と接続されて電源を供給するコネクタ１０４ｃとで構成されている。
【００６０】
コネクタ１０４ａと、ホストコンピュータ１０１とを信号ケーブル１０３で接続することによって、ホストコンピュータ１０１の信号をプリンタ１に送信することができる。
【００６１】
同様に、コネクタ１０４ｂと、ドロア１０２とを信号ケーブル１０３で接続することによって、プリンタ１からの信号をドロア１０２へ送信することができる。さらに、このコネクタ１０４ｂは、プリンタ１からの信号を電磁ロック部７０へ送信することができるようにコネクタ１０４ｂの中の接続ピン（図示しない）が分割して使われるように構成されている。
【００６２】
一方、コネクタ１０４ｃと外部電源（図示せず）とを接続することによって、外部から電源を供給することができるように構成されている。
【００６３】
図５は、本実施形態のロック機構付きプリンタ３００を示し、（ａ）はロック前の概略斜視図、（ｂ）はロック後の概略斜視図である。
【００６４】
図５（ａ）に示すように、ロック機構付きプリンタ３００は、ロール紙１６に印刷するプリンタ１と、このプリンタ１をロックするロック機構６０とで構成されている。このロック機構６０は、電磁ロック部７０、フレームカバーロック６１に取り付けられたレバーカバーロック６９とで構成されている。このレバーカバーロック６９が矢印方向に回転して、オープンボタン１３とフィードボタン１４とを覆う。
【００６５】
また、この電磁ロック部７０は、フレームカバーロック６１がケース本体４に組み付けられることによって、プリンタ１の中に内蔵されるので、外部からは見えない。しかも、レバーカバーロック６９が軸６７ａと軸６７ｂとに軸支されていて、これら軸６７ａと軸６７ｂとを回転中心として、プリンタ１の背面側から手前側に回転可能となっている（図２参照）。
【００６６】
図５（ｂ）に示すように、ロック機構６０が働くと、オープンボタン１３とフィードボタン１４とがレバーカバーロック６９に覆われた状態でロックされる。このとき、レバーカバーロック６９がロック部６０ａに係止された状態になり、しかも、前述したように背面部１ａの高さがロック部６０ａの高さより高いので（図３（ｂ）参照）、レバーカバーロック６９を矢印の方向に回転することができない。つまり、ロック状態では、これらオープンボタン１３とフィードボタン１４は、外部から容易に操作できない。
【００６７】
図６は、本実施形態の印刷システム１００の構成を示す概略図である。
【００６８】
図６に示すように、印刷システム１００は、ロール紙１６に印刷をするプリンタ１と、このプリンタ１に印刷内容や、ドロアロック解除信号や、ロック機構解除信号などを送信するホストコンピュータ１０１と、金銭を収納しておく金箱であるドロア１０２とで構成されている。
【００６９】
このドロア１０２は、ドロアオープン機構９０、ドロア蓋９１、箱９２とで構成されていて、ホストコンピュータ１０１は、プリンタ１を介してドロアオープン機構９０にドロアロック解除信号を送って、ドロア１０２を開くことができるように構成されている。
【００７０】
また、ホストコンピュータ１０１は、プリンタ１に内蔵されている電磁ロック部７０にロック解除信号を送って、ロック機構６０のロックを解除できるように構成されている。
【００７１】
また、このホストコンピュータ１０１とプリンタ１との間の信号の送受信や、プリンタ１とドロア１０２との間の信号の送受信には、信号ケーブル１０３が使用されている。
【００７２】
図７は、本実施形態の印刷システムの電気的構成を示すブロック図である。
【００７３】
図７に示すように、ホストコンピュータ１０１に対して、プリンタ１への印刷情報の指示や、ドロア１０２を開放するためのドロアロック解除指示や、電磁ロック部７０を解除するためのロック解除指示や、フィード制御部８０の有効又は無効の切り替え指示等の所定の入力操作を行うことによって、これらホストコンピュータ１０１の指示内容が実行されるように、印刷システム１００が構成されている。
【００７４】
プリンタ１には、ドロアロック解除の制御をするドロア１０２が接続される。プリンタ１は、ロックの制御をする電磁ロック部７０と、紙送りの制御をするフィード制御部８０と、これら電磁ロック部７０、フィード制御部８０、ドロア１０２とに電気信号を発信する発信部１１７とで構成されている。
【００７５】
ホストコンピュータ１０１からの指示によって、この発信部１１７は３系統に信号を送信することができる。その内の第１系統は、ドロアオープン機構９０にドロアロック解除信号を送って、箱９２からドロア蓋９１を引き出せるように、ドロア１０２を開くことができる。
【００７６】
また、第２系統は、電磁ロック部７０に信号を送って、ロック機構６０のロックを解除したり、ロックすることができる。（図２参照）。
【００７７】
また、第３系統は、ホストコンピュータ１０１からフィード制御部８０に、フィードの有効又は無効の切り替え信号を送って、フィードの有効又は無効を切り替えることができる。フィード制御部８０が無効側（ＯＦＦ側）に切り替われば、紙送りができない。つまり、この状態は、フィードボタン１４を外部から操作しても紙送りができない停止状態を維持する。
【００７８】
ホストコンピュータ１０１は、フィード制御部８０に、紙送り制御信号を送ると、紙送り動作が行われる。フィード制御部８０が紙送り動作を行わせるため、ロック機構によりフィードボタン１４を操作することができなくても、紙送りができるように構成されている。
【００７９】
本実施形態における印刷システム１００、及び、ロック機構６０の構成は以上のとおりである。図１、図２、図５〜図７を参照しながら、これら印刷システム１００、及び、ロック機構６０の動作について説明をする。
【００８０】
図１（ａ）、図１（ｂ）に示すように、プリンタ１は、ロール紙１６に対して印刷ヘッド２４により印刷が行われ、印刷されたロール紙１６はフィードボタン１４が押されることによって、紙送り部としてのプラテン２５が作動して、ロール紙１６がＤ方向に紙送りされる。このとき、紙送り状態が表示ランプ１５に表示される。また、このロール紙１６は、オートカッタユニット４０によって切断されて、排出口１２から外部へ排出される。
【００８１】
図６、図７に示すように、印刷システム１００は、ホストコンピュータ１０１に所定の入力操作が行われると、ホストコンピュータ１０１からプリンタ１に信号が送信される。この信号は、プリンタ１に内蔵されている発信部１１７から、電磁ロック部７０、フィード制御部８０、ドロア１０２に送信される。
【００８２】
ここで、ドロア１０２が接続された発信部１１７からのドロア解除信号を、ホストコンピュータ１０１からプリンタ１に送信すれば、ドロアオープン機構９０が働いて、箱９２からドロア蓋９１が開き、箱９２の中にある金銭などの取り出しができる。
【００８３】
また、フィード制御部８０が接続された発信部１１７からのフィードの有効又は無効の切り替え信号を、ホストコンピュータ１０１からプリンタ１に送信すれば、フィード制御部８０が働いて、フィードの有効又は無効の切り替えができる。同様に、紙送りの信号をホストコンピュータ１０１からプリンタ１に送信すれば、フィード制御部８０が働いて、紙送りをすることができる。
【００８４】
ここで、電磁ロック部７０が接続された発信部１１７からのロック解除信号を、ホストコンピュータ１０１からプリンタ１に送信すれば、電磁ロック部７０のソレノイド７１に信号が送られる。
【００８５】
図２に示すように、ソレノイド７１が作動することで、プランジャ７４が吸引される。このとき、ロック解除レバー７２が、矢印Ａ方向に旋回して、カム６４がロック解除レバー７２から外れて、ロック解除できる（図５（ａ）参照）。
【００８６】
図５（ａ）に示すように、ロック解除ができたら、レバーカバーロック６９をスライドさせながらプリンタ１の背面部１ａへ回転すると、オープンボタン１３とフィードボタン１４とが視認できるようになる。つまり、外部からオープンボタン１３とフィードボタン１４とを操作できるようになる。このオープンボタン１３を操作することで、プリンタカバー１１が開き、ロール紙１６の交換ができる。また、フィードボタン１４を操作することで、ロール紙１６の紙送りができて、排出口１２からロール紙１６がでてくる。
【００８７】
次に、図５（ｂ）に示すように、レバーカバーロック６９をプリンタ１の背面部１ａから手前側に回転すると、オープンボタン１３とフィードボタン１４とが覆われる。
【００８８】
この状態で、ホストコンピュータ１０１からプリンタ１に、ロック信号を送信すれば、電磁ロック部７０のソレノイド７１の通電が止まり、プランジャ７４が開放される。このとき、バネ６５によってロック解除レバー７２が、矢印Ａ方向とは反対の方向に旋回して、カム６４がロック解除レバー７２と噛み合い、ロックできる（図２参照）。
【００８９】
なお、レバーカバーロック６９は、金属材料であって、例えば、鉄、ステンレス、銅などを採用した。また、このレバーカバーロック６９は、オープンボタン１３と、フィードボタン１４とを覆うことができる大きさになっている。しかも、外部から衝撃力などを加えても破壊できないような厚さであって、機械的に剛性を有したものを用いた。
【００９０】
以上のような本実施形態では、次のような効果が得られる。
（１）本発明では、プリンタ１の中に電気式ロック機構を設けた構造にしたので、プリンタ１の外部からはロック機構６０がプリンタ１の内部にあることがわからない。しかも、電気式ロック機構であるので、ホストコンピュータ１０１からの指示によってロック機構６０のロック解除が可能である。さらに、プリンタ１の背面側の背面部１ａがロック部６０ａに比べて高く形成されているので、ロック機構６０が働くと、レバーカバーロック６９をプリンタ１から外すことができなくなる。このことによって、プリンタ１の内部にあるロール紙１６を第３者が簡単に取り出すことができない。従って、印刷前のロール紙１６を盗まれることのないプリンタ１を提供できる。
（２）プリンタ１に、フィード制御部８０を設けたことで、ホストコンピュータ１０１からプリンタ１に対して、紙送り制御の有効又は無効の指示を切り替えることができる。あらかじめ、紙送りを無効に設定しておけば、紙送りができなくなり、ロール紙１６が排出口１２から出てこないので、プリンタ１の内部にある印刷前のロール紙１６を第３者が簡単に取り出せない。このようなプリンタ１を提供できる。
（３）プリンタ１に、レバーカバーロック６９を設けたことで、フィードボタン１４がレバーカバーロック６９に覆われた状態になる。これにより、外部からフィード操作を行なうことができないため、第３者がロール紙１６を不正に取り出せない。このようなプリンタ１を提供できる。
【００９１】
なお、本発明は前述の実施形態に限定されるものではなく、本発明の目的を達成できる範囲での変形、改良等は本発明に含まれるものである。以下に変形例を示す。
【００９２】
（変形例１）実施形態で、レバーカバーロック６９を軸６７ａと６７ｂとで軸支する構成にしたが、本発明はこれにこだわるものではない。例えば、レバーカバーロック６９を分割して、１箇所の軸６７ａに軸支する構成にしても良い。つまり、オープンボタン１３とフィードボタン１４側だけにレバーカバーロック６９を設ければ良い。
【００９３】
このようにすれば、実施形態と同様の効果が得られ、オープンボタン１３とフィードボタン１４とを覆うことができる。しかも、ロック機構６０を構成する軸受け６２ｂと軸６７ｂとが不要になるので、部品点数が削減できて構造が簡単になる。このようなロック機構６０を備えたプリンタ１を提供できる。
【００９４】
（変形例２）実施形態で、レバーカバーロック６９の材質を剛性の高い金属を選定したが、本発明はこれに限定するものではない。例えば、ある程度の剛性があれば、プラスチックなどの成形しやすくて安価な材料にしても良い。
【００９５】
このようにすれば、実施形態と同様の効果が得られ、レバーカバーロック６９を成形加工などで一体成形すれば、コストも低減できる。このようなロック機構６０を備えたプリンタ１を提供できる。
【００９６】
（変形例３）実施形態で、ロック機構６０を動作させるのに、電磁ロック部７０にソレノイド７１を採用したが、本発明はこれに限定するものではない。例えば、空気圧シリンダ、又は、油圧シリンダなどを採用してロック機構６０を駆動させても良い。
【００９７】
このようにすれば、実施形態と同様の効果が得られる。
【００９８】
（変形例４）実施形態で、オープンボタン１３とフィードボタン１４とを覆うようにレバーカバーロック６９を設けたが、本発明はこれに限定するものではない。例えば、オープンボタン１３を覆わずに、フィードボタン１４のみを覆うようにレバーカバーロック６９を設けた構成にしても良い。
【００９９】
このようにすれば、ロック機構６０が作動している状態では、ロック部６０ａの位置で、レバーカバーロック６９がプリンタ１を押さえこんでいるので、オープンボタン１３を押しても、プリンタカバー１１が開かずロール紙１６を取り出すことができない。しかも、フィードボタン１４は、レバーカバーロック６９に覆われているので、紙送り操作ができない。つまり、実施形態と同様の効果が得られる。
【図面の簡単な説明】
【０１００】
【図１】本実施形態のプリンタ本体の構造を示し、（ａ）は概略斜視図、（ｂ）は概略断面図。
【図２】プリンタのロック機構を示す概略斜視図。
【図３】プリンタのロック機構を示し、（ａ）は概略組立図、（ｂ）は概略側面図。
【図４】プリンタのロック機構を装着した状態を示す斜視図。
【図５】プリンタのロック機構を装着した状態を示し、（ａ）はロック前の概略斜視図、（ｂ）はロック後の概略斜視図。
【図６】印刷システムの構成を示す概略図。
【図７】印刷システムの電気的構成を示すブロック図。
【符号の説明】
【０１０１】
１…プリンタ、１ａ…背面部、１１…プリンタカバー、１３…蓋操作部としてのオープンボタン、１４…紙送り操作部としてのフィードボタン、１５…表示ランプ、１６…記録媒体としてのロール紙、２０…プリント機構、２５…紙送り機構の紙送り部としてのプラテン、６０…ロック機構、６０ａ…ロック部、６１…フレームカバーロック、６９…レバーカバーロック、７０…電磁ロック部、７１…電磁開閉器としてのソレノイド、８０…フィード制御部、９０…ドロアオープン機構、１００…印刷システム、１０１…ホストコンピュータ、１０２…ドロア（金箱）、１０３…信号ケーブル、１０４…コネクタ、１１７…発信部、３００…ロック機構付きプリンタ。
【図１】
2005349640.tif 000003
【図２】
2005349640.tif 000004
【図３】
2005349640.tif 000005
【図４】
2005349640.tif 000006
【図５】
2005349640.tif 000007
【図６】
2005349640.tif 000008
【図７】
2005349640.tif 000009